(57)【要約】【課題】電磁波が人体に与える影響を減らし、カバレッジに死角が生じることを防ぐ無線信号変換システムを提供する。【解決手段】無線信号変換システム１０は、アンテナ１１により無線信号を受信し、無線信号が有する信号データを電力線１７へロードする変換出力装置１２と、電力線１７から信号データを取り出し、電子装置１５，１６に信号データを提供する少なくとも１つの変換入力装置１３，１４とを備える。【選択図】図１
0003164254.tif 000002
【実用新案登録請求の範囲】
【請求項１】
アンテナにより無線信号を受信し、前記無線信号が有する信号データを電力線へロードする変換出力装置と、
前記電力線から前記信号データを取り出し、電子装置に前記信号データを提供する少なくとも１つの変換入力装置と、を備えることを特徴とする無線信号変換システム。
【請求項２】
前記変換出力装置は、前記無線信号に対して、ノイズが入ることを防ぎ、前記無線信号の増幅を行うことを特徴とする請求項１に記載の無線信号変換システム。
【請求項３】
前記変換出力装置は、
前記アンテナからの前記無線信号を受信する第１の端子と、第２の端子と、を有するコンデンサと、
前記コンデンサの前記第２の端子に接続された入力端子と、出力端子と、を有する適応回路と、
前記適応回路の前記出力端子に接続された入力端子と、前記電力線に接続された出力端子と、を有するアイソレーション回路と、を有し、
前記適応回路及び前記アイソレーション回路により、前記無線信号の前記信号データを前記電力線にロードすることを特徴とする請求項１に記載の無線信号変換システム。
【請求項４】
前記変換入力装置は、前記電力線から取り出した前記信号データに対してハイパスフィルタ処理を行い、前記信号データの増幅を行うことを特徴とする請求項１に記載の無線信号変換システム。
【請求項５】
前記変換入力装置は、
前記電力線に接続された入力端子と、出力端子と、を有するアイソレーション回路と、
前記アイソレーション回路の前記出力端子に接続された入力端子と、出力端子と、を有する適応回路と、
前記適応回路の前記出力端子に接続された第１の端子と、前記電子装置に接続された第２の端子と、を有するコンデンサと、を有し、
前記適応回路及び前記アイソレーション回路により、前記電力線から前記信号データを取り出すことを特徴とする請求項１に記載の無線信号変換システム。
【考案の詳細な説明】
【技術分野】
【０００１】
本考案は、通信信号変換装置に関し、特に、無線信号の信号データを電力線にロードする無線信号変換システム、変換出力装置及び変換入力装置に関する。
【背景技術】
【０００２】
現在、無線通信技術の大幅な発展により、家庭用電子製品はアンテナを介して無線信号を送受信することができるものがほとんどである。しかし、無線ネットワークのカバレッジには一定の限界があり、死角が生じる虞がある上、大量の電磁波を浴びると身体に悪影響を与える虞もある。これに鑑み、家庭用電子装置は、無線通信を使用して信号データを伝送する以外に、電力線を利用した伝送通信技術により、信号データを伝送するものもある。
【０００３】
現在、電力線を使用して行う通信技術は発展しており、電力線は電子製品に電源を供給する機能以外に、家庭用電子製品へ信号データを送信し、信号データの処理及び記憶を行うために利用することもできる。
【０００４】
そのため、電磁波が人体に与える悪影響を減らし、カバレッジに死角が生じることを防ぐことができるように、従来の無線ネットワークと、電力線を介して伝送するネットワークとを組み合わせた無線信号変換システムが求められていた。
【考案の概要】
【考案が解決しようとする課題】
【０００５】
本考案の目的は、電磁波が人体に与える影響を減らし、カバレッジに死角が生じることを防ぐ無線信号変換システムを提供することにある。
【課題を解決するための手段】
【０００６】
上記課題を解決するために、本考案の第１の形態によれば、アンテナにより無線信号を受信し、前記無線信号が有する信号データを電力線へロードする変換出力装置と、前記電力線から前記信号データを取り出し、電子装置に前記信号データを提供する少なくとも１つの変換入力装置と、を備えることを特徴とする無線信号変換システムが提供される。
【０００７】
また、前記変換出力装置は、前記無線信号に対して、ノイズが入ることを防ぎ、前記無線信号の増幅を行うことが好ましい。
【０００８】
また、前記変換出力装置は、前記アンテナからの前記無線信号を受信する第１の端子と、第２の端子と、を有するコンデンサと、前記コンデンサの前記第２の端子に接続された入力端子と、出力端子と、を有する適応回路と、前記適応回路の前記出力端子に接続された入力端子と、前記電力線に接続された出力端子と、を有するアイソレーション回路と、を有し、前記適応回路及び前記アイソレーション回路により、前記無線信号の前記信号データを前記電力線にロードすることが好ましい。
【０００９】
また、前記変換入力装置は、前記電力線から取り出した前記信号データに対してハイパスフィルタ処理を行い、前記信号データの増幅を行うことが好ましい。
【００１０】
また、前記変換入力装置は、前記電力線に接続された入力端子と、出力端子と、を有するアイソレーション回路と、前記アイソレーション回路の前記出力端子に接続された入力端子と、出力端子と、を有する適応回路と、前記適応回路の前記出力端子に接続された第１の端子と、前記電子装置に接続された第２の端子と、を有するコンデンサと、を有し、前記適応回路及び前記アイソレーション回路により、前記電力線から前記信号データを取り出すことが好ましい。
【考案の効果】
【００１１】
本考案の無線信号変換システムは、以下（１）〜（５）の長所を有する。
（１）無線信号の大部分を電力線にロードすることができる。
（２）電力線により伝送するため、通信の死角が生じない上、配線を追加する必要がない。
（３）多数の電子装置が信号データを共同で使用することができる上、分配器を追加する必要がない。
（４）無線信号を有線信号に変換するため、人体に悪影響を与える電磁波を減らすことができる。
（５）電源の濾過機能を備えているため、家庭用電子製品がサージにより損壊することを防いで使用寿命を延ばすことができる。
【図面の簡単な説明】
【００１２】
【図１】本考案の一実施形態による無線信号変換システムを示す模式図である。
【図２】本考案の一実施形態による変換出力装置を示す模式図である。
【図３】本考案の一実施形態による変換入力装置を示す模式図である。
【考案を実施するための形態】
【００１３】
以下、本考案の実施形態について図に基づいて説明する。なお、これによって本考案が限定されるものではない。
【００１４】
本考案の無線信号変換システムは、人体に与える電磁波の影響を減らすために、無線信号の信号データを変換して電力線で搬送し、後端側に接続された家庭用電子製品へ信号データを安定かつ正確に提供することができる。ここで、家庭用電子製品は、事務用電子製品又は工業用電子製品でもよく、本考案は必ずしも家庭用電子製品への応用に限定されるわけではない。ここで、電子製品は、スマート型電気製品、スマート型事務機、工業用装置又は計算機でもよい。
【００１５】
図１を参照する。図１に示すように、無線信号変換システム（ｗｉｒｅｌｅｓｓ  ｓｉｇｎａｌ  ｃｏｎｖｅｒｓｉｏｎ  ｓｙｓｔｅｍ）１０は、変換出力装置（ｃｏｎｖｅｒｓｉｏｎ  ｏｕｔｐｕｔ  ａｐｐａｒａｔｕｓ）１２及び変換入力装置（ｃｏｎｖｅｒｓｉｏｎ  ｉｎｐｕｔ  ａｐｐａｒａｔｕｓ）１３，１４を含む。アンテナ１１は、変換出力装置１２の一部でもよいし、変換出力装置１２の外部に独立するように配置してもよい。アンテナ１１は、無線チャネルから高周波の無線信号を受信し、変換出力装置１２により変換処理した後、家庭用電力線（ｐｏｗｅｒ  ｌｉｎｅ）１７へ無線信号の信号データ（ｓｉｇｎａｌ  ｄａｔａ）をロードする。少なくとも１つの電子装置（ｅｌｅｃｔｒｏｎｉｃ  ｅｑｕｉｐｍｅｎｔ）１５，１６のプラグを家庭用電力線１７へ挿入すると、少なくとも１つの電子装置１５，１６は、変換入力装置１３，１４により変換された信号データを同時に利用することができる。
【００１６】
上述の実施形態では、アンテナ１１が高周波の無線信号を受信する態様により説明しているが、この態様だけに限定されるわけではなく、高周波以外の他の周波数の無線信号を受信するようにしてもよい。同様に、上述の実施形態では、家庭用電力線１７を用いる態様により説明しているが、この態様だけに限定されるわけではなく、その他様々な電力線（例えば、工業用電力線）を用いてもよい。すなわち、変換出力装置１２は、アンテナ１１を介して無線信号を受信し、無線信号が有する信号データを電力線にロードする。変換入力装置１３，１４は、電力線から取り出した信号データを電子装置１５，１６へ提供する。
【００１７】
さらに、変換出力装置１２は、無線信号に対して、ノイズが入ることを防ぎ、無線信号を増幅することができる。しかし、ノイズが少ない場合、変換出力装置１２は、ノイズが入ることを防ぐ処理を行ったり、無線信号を増幅したりすることをせずに、無線信号の信号データを変換し直接電力線で搬送してもよい。その他、変換入力装置１３，１４は、電力線から取り出した信号データに対してハイパスフィルタ処理を行い、信号データを増幅してもよい。しかし、ノイズが少ない場合、変換入力装置１３，１４は、信号データに対してハイパスフィルタ処理を行ったり、信号データを増幅したりせずに、電力線から取り出した信号データを電子装置１５，１６へ直接提供してもよい。
【００１８】
図２を参照する。図２に示すように、変換出力装置２０は、コンデンサ２２、適応回路２５及びアイソレーション回路２６を含む。コンデンサ２２は、アンテナ２１からの無線信号を受信するために用いる第１の端子と、第２の端子と、を有する。適応回路２５は、コンデンサ２２の第２の端子に接続された入力端子と、出力端子と、を有する。アイソレーション回路２６は、適応回路の出力端子に接続された入力端子と、家庭用電力線２７に接続された出力端子と、を有する。無線信号の信号データは、適応回路２５及びアイソレーション回路２６により家庭用電力線２７にロードされる。コンデンサ２２は、無線信号の直流部分及び低周波部分をフィルタするために用いる。
【００１９】
受信機能を考慮した場合、無線信号に対してノイズが入ることを防ぐ処理を行ったり、無線信号を増幅したりする必要がある。そのため、変換出力装置２０は、抑制回路２３及び増幅回路２４をさらに含んでもよい。抑制回路２３は、コンデンサ２２の第１の端子に接続された入力端子と、出力端子と、を有し、無線信号に対してノイズが入ることを防ぐ。増幅回路２４は、抑制回路２３の出力端子に接続された入力端子と、適応回路２５の入力端子に接続された出力端子と、を有し、無線信号を増幅するために用いる。適応回路２５の入力端子は、抑制回路２３及び増幅回路２４を介し、コンデンサ２２の第２の端子に接続されている。
【００２０】
さらに、変換出力装置２０は、コンデンサ２２の第１の端子に接続され、無線チャネルから高周波の無線信号を受信するために用いるアンテナ２１をさらに含んでもよい。
【００２１】
続いて、図３を参照する。図３に示すように、変換入力装置３０は、アイソレーション回路３１、適応回路３２及びコンデンサ３５を含む。アイソレーション回路３１は、家庭用電力線３７に接続された入力端子と、出力端子と、を有する。適応回路３２は、アイソレーション回路３１の出力端子に接続された入力端子と、出力端子と、を有する。コンデンサ３５は、適応回路３２の出力端子に接続された第１の端子と、電子装置３６に接続された第２の端子と、を有する。このように、変換入力装置３０は、アイソレーション回路３１及び適応回路３２により、電力線から信号データを取り出すことができる。コンデンサ３５は、信号データの直流部分及び低周波部分をフィルタすることができる。
【００２２】
受信機能を考慮した場合、家庭用電力線３７から取り出した信号データに対してハイパスフィルタ処理を行い、信号データを増幅する必要がある。そのため、変換入力装置３０は、ハイパスフィルタ３３及び増幅回路３４をさらに含んでもよい。ハイパスフィルタ３３は、適応回路３２の出力端子に接続された入力端子と、出力端子と、を有し、信号データに対してハイパスフィルタ処理を行う。増幅回路３４は、ハイパスフィルタ回路３３の出力端子に接続された入力端子と、コンデンサ３５の第１の端子に接続された出力端子と、を有し、信号データを増幅する。コンデンサ３５の第１の端子は、増幅回路３４及びハイパスフィルタ３３を介し、適応回路３２の出力端子に接続されている。
【００２３】
上述したことから分かるように、本考案の無線信号変換システムは、以下（１）〜（５）の長所を有する。
（１）無線信号の大部分を電力線にロードすることができる。
（２）電力線により伝送するため、通信の死角が生じない上、配線を追加する必要がない。
（３）多数の電子装置が信号データを共同で使用することができる上、分配器を追加する必要がない。
（４）無線信号を有線信号に変換するため、人体に悪影響を与える電磁波を減らすことができる。
（５）電源の濾過機能を備えているため、家庭用電子製品がサージにより損壊することを防いで使用寿命を延ばすことができる。
【００２４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２５】
１０  無線信号変換システム
１１  アンテナ
１２  変換出力装置
１３  変換入力装置
１４  変換入力装置
１５  電子装置
１６  電子装置
１７  家庭用電力線
２０  変換出力装置
２１  アンテナ
２２  コンデンサ
２３  抑制回路
２４  増幅回路
２５  適応回路
２６  アイソレーション回路
２７  家庭用電力線
３０  変換入力装置
３１  アイソレーション回路
３２  適応回路
３３  ハイパスフィルタ
３４  増幅回路
３５  コンデンサ
３６  電子装置
３７  家庭用電力線
【図１】
0003164254.tif 000003
【図２】
0003164254.tif 000004
【図３】
0003164254.tif 000005